(57)【要約】【目的】飛入した入賞球を次に設ける特定若しくは普通入賞口に誘導するに当って不規則に振分け、誘導の意外性を高めるようにした入賞装置を提供する。【構成】入賞室（２６）の空間内に前縁部（１５ａ）を支点にして後縁部（１５ｂ）を上下に揺動させるステージ板（１５）を備える。このステージ板の上記後縁部（１５ｂ）に対して接離方向に移動自由な振り分け部材（１７）を臨ませ、ステージ板の揺動運動と上記振り分け部材の接離方向の移動とによってステージ板上に前記入賞室の飛入口（２７）を通して落下する入賞球（Ｐ）を前記後縁部方向に転がしながら不規則に振り分け、特定若しくは普通入賞口（２８，２９）のいずれかに誘導する。【選択図】図１１
2007244445.tif 000002
【特許請求の範囲】
【請求項１】
箱枠体内部に形成される入賞室空間内にあって両側縁部を支軸を介して枢着し後縁部を上下方向に揺動自由に支持されるステージ板と、このステージ板を上下に揺動する動力源とを有し、常には前記ステージ板を一定姿勢に保持して入賞球をステージ板上に一時滞留させ若しくは傾きに従って後方向に転がし誘導する一方、揺動指示により上記ステージ板を前記動力源の駆動により前記支軸を支点に前記後縁部を上下に揺動させてステージ板上の入賞球をその変化する傾きに従って流下誘導し、後縁部のいずれかの位置から落下させることを特徴としたパチンコ遊技機の入賞装置。
【請求項２】
請求項１の記載において、ステージ板の後縁部の下流側に該後縁部に直接に、又は間接に接続するように特定入賞口と普通入賞口とを並列状に臨ませ、前記ステージ板の上面を転がり誘導される入賞球を該特定入賞口若しくは普通入賞口のいずれかに入賞させることを特徴としたパチンコ遊技機の入賞装置。
【請求項３】
請求項１又は２の記載において、ステージ板の上面には前縁部側から後縁部側に向って直線上の若しくは横向き斜め状態の下り勾配をなす誘導凹部を形成することを特徴としたパチンコ遊技機の入賞装置。
【請求項４】
請求項３の記載において、ステージ板上面の誘導凹部はステージ板の後縁部に臨む特定入賞口に向って優先的に誘導する溝であることを特徴としたパチンコ遊技機の入賞装置。
【請求項５】
請求項１乃至４の記載において、入賞室空間内にはステージ板の後縁部に臨ませて入賞球振り分け部材を設置し、ステージ板上面を後縁部に向けて転がる入賞球を複数のルートに振り分け前記後縁部から落下するようにしてなることを特徴としたパチンコ遊技機。
【請求項６】
請求項５の記載において、振り分け部材はステージ板の後縁部に対して接離方向に可動自由に設置し、接近位置において入賞球を振り分け、離反位置において入賞球の振り分けを解除することを特徴としたパチンコ遊技機。
【請求項７】
請求項５又は６の記載において、ステージ板の後縁部にはその中央部に向けて特定入賞口を、その左右に普通入賞口が臨むように連設させ、また振り分け部材には上記特定入賞口と普通入賞口に振り分ける仕切り突起部を備えて前記ステージ板上を転がり誘導される入賞球を該仕切り突起部によって上記個々の入賞口に向うルートに振分け誘導することを特徴としたパチンコ遊技機。
【請求項８】
請求項６又は７の記載において、ステージ板の後縁部に対し接離方向に可動自由に設置される振り分け部材は動力源を上記ステージ板を揺動する動力源と共通にすることを特徴としたパチンコ遊技機。
【請求項９】
請求項８の記載において、ステージ板と振り分け部材は動力源に対してそれぞれ異なる動力伝達手段を介挿して連動させると共に、同一又は異なる周期で連動可能にしてなることを特徴としたパチンコ遊技機。
【請求項１０】
請求項１乃至９の記載において、入賞室空間内にはステージ板の下方に前下りに傾斜する第２ステージ板を設置し、上記ステージ板の後縁部から落下する入賞球を該第２ステージ板上を前方に向け転がす一方、該第２ステージ板の前縁部に沿って並列状に特定入賞口と普通入賞口を臨ませてなることを特徴としたパチンコ遊技機。
【発明の詳細な説明】
【技術分野】
【０００１】
本発明は、パチンコ遊技機の入賞装置に関する。
【背景技術】
【０００２】
パチンコ遊技機における入賞装置は、入賞球を受け入れ、これに基づいて予め定める数の賞球を遊技者に払い出すための言わば賞球過程における最初の段階に位置する装置であり、遊技者にとって最も感心の高い装置である。
この入賞装置には単純に打球を受け入れるものから、受け入れた入賞球を使って他の入賞装置を作動させるもの、入賞装置の内部で更に入賞球に対する価値に差を付けるため別に設備する複数の入賞ルートに振り分けて誘導するもの、更にはこの振り分け誘導過程を遊技者に観せることによって興趣を高めるようにしたもの等、その種類は多種多様に亘っている。
【０００３】
本発明は、この様な中にあって入賞装置の中に入った入賞球に対して装置内部で複数のルートに不規則に誘導し、ルートの一つに振り分けることによって入賞球に対する価値を不特定に変化させられるようにした入賞装置、所謂可変入賞装置に関する。更に言えば、本発明はこれらの中にあって入賞装置の内部に可動の振分け板、つまりステージ板を備えて入賞球を装置の内部において振り分けるタイプの可変型に係る入賞装置に関する。
【０００４】
ステージ板等装置内部で可動させ、飛入した入賞球を例えばステージ板の向き、つまり傾斜の変化によって誘導方向を変え、その先に設備する入賞ルートを選択させることによって入賞球に対する価値を変えるようにした入賞装置については、例えば特許文献１，２によって開示されるところとなっている。
【特許文献１】特開２００１−６５７号公報。
【特許文献２】特開昭６１−１９３６８１号公報。
【０００５】
上記特許文献１に記載される入賞装置は、箱枠１０の内部に支軸３１を支点に左右の端部を上下に揺動させる揺動板３０を設置し、箱枠１０の球入口９から飛入した入賞球をこの揺動板３０の傾きによって左又は右方向に流して特定入賞口２４か一般入賞口２５のいずれかに入賞させる構造になっている。
この入賞装置は、飛入口９から入賞した入賞球を箱枠１０の内部で傾く揺動板３０の傾きによってその誘導方向を決定し、その先に設置される確定した入賞口２４若しくは２５に導くものにしてあるが、しかし、この傾きによって決定された後入賞球は全く変化することがなく、そのまゝ処理されるものとなっている。
【０００６】
また、上記特許文献２に記載される入賞装置は、ケーシング６の内部にプレート１３，カム１４，モータ１５からなる運動機構部７を有し、ピボット軸２０に支持したプレート１３をモータ１５によって回転する上記カム１４によって下面周縁部を周方向に沿って順次押上げ、これによりこのプレート１３を波を打つように傾けてその上面に落下した球１１をこの傾きに従って転がし、前方中央部分に開設する孔１８に落し込むようにしたものである。
【０００７】
この入賞装置の上記運動機構部７は、プレート１３上に落下した球１１がカム１４の回転によってプレート１３が波打ち状に変化するのに伴ってその上面を転がる間前方から遊技者が球の転がりと、孔１８に落下するまでの経緯を楽しむことができるようになっているが、プレート上で転がる球１１は孔１８に入ることで終結するため結果は殆んど前記特許文献１の入賞装置と同じものになっている。
【０００８】
ここに示した従来の技術は極一部のものではあるが、箱枠乃至ケーシングによって形成される入賞室内に飛入した入賞球を揺動板やプレート等に受けて、その上面を転がし、行方を変更させるものであり、この変化する状態を観察させることによって遊技者に一定の遊技的興奮を与えるものとなっている。そして、大型に形成される入賞装置においては入賞室の前面を大きく開放し、内部における球の動きを観察し易くして遊技球の変化を更に楽しめるものにしてある。
【０００９】
しかし、入賞球の動きを通して楽しめるものにしても、パチンコ遊技機においては最終的にどの様な結果に至るかの過程に最大の感心が置かれることから予め結果が確定する構造のものはその段階で興趣が殺がれることになる。  
【発明の開示】
【発明が解決しようとする課題】
【００１０】
本発明は、この様な事情に鑑み、飛入した入賞球を入賞室の内部において転がりによって自由な方向に移動させ、それぞれの結果に継げると同時に、ときには転がりの方向を規制して特定の方向に誘導し、定めた入賞結果に継げることにしてこの振り分けと、結果に至る過程を遊技者に視認させ、遊技を楽しめるようにした入賞球に対する振り分けの手段を内蔵してなる入賞装置を提供しようとするものである。
【００１１】
更に詳述すると、本発明は飛入した入賞球を入賞装置内部において自由に転がし、この転がり状態を視認可能にし、これによって遊技者が視覚的に追跡できるようにすると同時に、転がり誘導される先を不特定にしたり、或は特定して入賞球に対する振り分けの結果を楽しめるようにしたパチンコ遊技機の入賞装置を提供しようとするものである。
【課題を解決するための手段】
【００１２】
本発明は、上述の目的を達成するため、打球の飛入口を備える入賞室空間内に両側縁部を枢着する支軸を支点に後縁部を上下に揺動自由に支持するステージ板を備え、またこのステージ板を揺動する動力源を備えて、或るときには上記ステージ板を静止状態に保ち、またステージ板上面の傾きに従って前記飛入口からの入賞球を自由に転がし誘導し、また或るときには前記動力源の駆動によって上記ステージ板の傾きを変化させ、入賞球の転がりに緩急を付け、また飛入する入賞球のステージ板上の落下位置の違いに基づいて転がり方向の強制を加える等して入賞球に対する振り分けを行い、またこの転がりの変化を遊技者において視認できるようにした入賞装置を提供することにある。
【００１３】
更に詳述すると、本発明は箱枠体内部に形成される入賞室空間内にあって両側縁部を支軸を介して枢着し後縁部を上下方向に揺動自由に支持されるステージ板と、このステージ板を上下に揺動する動力源とを有し、ときには前記ステージ板を一定姿勢に保持して入賞球をステージ板上に一時滞留させ、若しくは一定の傾きに従って後方向に転がし誘導し、また一方、揺動指示により上記ステージ板を前記動力源の駆動により前記支軸を支点に前記後縁部を上下に揺動させてステージ板上の入賞球をその変化する傾きに従って流下誘導して後縁部のいずれかの位置から落下させ、この過程を通して入賞球を振分けるようにしたパチンコ遊技機の入賞装置を提供することにある。
【００１４】
上記ステージ板は、その後縁部を上下に揺動させるため入賞室空間内の中間位置に設置することになると供に、上記揺動に伴わせて傾斜角を自由に設定することができるようになる。
また、上記ステージ板は前縁部近くの上面に落下した入賞球が傾きによって前方に転がり落ちるのを防止することになる。このため、両側縁部の枢着位置を前縁部に接近した両側縁部に置いてこれを入賞室の側壁部に枢着し、ステージ板の揺動時にはこの前縁部が基点となって後縁部が上下する状態で揺動するようにされる。
【００１５】
またこのステージ板は、入賞室内に飛入した入賞球を振り分けて進路を個々変化させるための振り分け手段となるが、その上面はフラットである場合の外、誘導凹部、つまり案内路を形成して特定の方向に誘導する一方、傾斜の変化のによる流れの変化の中で、この誘導凹部を利用して入賞球を更に不特定な方向に誘導することができる構造を含むものとなる。
そして、上記誘導凹部は、ステージ板の下流側に入賞球に対する価値を異にする選別手段、例えば特別入賞口や普通入賞口といった設備を設置することによって、更には同じく下流側に後述する振り分け部材を設置して更に変化のある誘導を実現するものとなる。
【００１６】
前記ステージ板上に落下し、その傾斜に伴って誘導される入賞球は、傾斜そのものによって異る誘導が行われることになるが、飛入口からの落下位置の違いによっても、また落下する角度によってもステージ板後縁部に達する位置は異ることになる。この結果、傾きの変化に併せて様々な振り分けが実行されることになる。
そして、このステージ板の上面に形成される前記誘導凹部は、更に上記振り分けを変化させ、ときには複雑化させてこれを視覚する遊技者に対し、先行きの予見を困難にして期待感を一層高めるものとなる。
【００１７】
尚、上記誘導凹部はステージ板上面において後縁部方向に直線的に形成されることを排除しないが、誘導の変化性からステージ板の左右方向に振れるように、或は例えば後縁部中央に向けて集中するように徐々に凹部の深さを増す等、方向，幅，深さを選択することを含む。
【００１８】
更に言えば、本発明は前記ステージ板の後縁部の下流側に該後縁部に直接に、又は間接に接続するように特定入賞口と普通入賞口とを並列状に臨ませ、前記ステージ板の上面を転がり誘導される入賞球を該特定入賞口若しくは普通入賞口のいずれかに入賞させるようにしたパチンコ遊技機の入賞装置を提供することにある。
そして、本発明は前記ステージ板の上面には前縁部側から後縁部側に向って直線状の、若しくは横向き斜め状態の下り勾配をなす誘導凹部を形成することを特徴としたパチンコ遊技機の入賞装置を提供することにある。
【００１９】
また本発明は、前記ステージ板上面に形成される誘導凹部はステージ板の後縁部に臨む特定入賞口に向って優先的に誘導する溝であることを特徴としたパチンコ遊技機の入賞装置を提供することにある。
【００２０】
そして更に本発明は、前記入賞室空間内にはステージ板の後縁部に臨ませて入賞球振り分け部材を設置し、ステージ板上面を後縁部に向けて転がる入賞球を複数のルートに振り分け前記後縁部から落下するようにしてなることを特徴としたパチンコ遊技機を提供することにある。
【００２１】
上記振り分け部材はステージ板の後縁部に対して接離方向に可動自由に設置し、接近位置において入賞球を振り分け、離反位置において入賞球の振り分けを解除するものを含み、更に上記ステージ板の後縁部に対して接離方向に可動自由に設置する振り分け部材は動力源を上記ステージ板を揺動する動力源と共通にすることを特徴としたパチンコ遊技機を提供することにある。
【００２２】
ところで、上記入賞球の振り分け部材は、形状を一定形状に特定されるものではないが、ステージ板の後縁部に臨んで、ステージ板の上面を後方に向けて転がる入賞球に対して第１義的に障害物となることが求められる。そして、第２義的には特定方向に誘導する案内手段となることが求められることになる。このことから振り分け部材として下端に仕切り突起部を設けることが有効となる。
上記仕切り突起部は少なくとも１個、好ましくは前記特定及び普通入賞口の数に対応する数のルートを形成する２個設けられればよい。２個若しくはそれ以上形成する場合は、パチンコ球の径を超える間隔を置いて並設することが求められる。尚、２個の場合、その左右の空間を含む３つの振り分けルートを形成することができると共に、このルートに前記特別入賞口と普通入賞口を対応させ、入賞球に対する価値の差に直結させることができる。
【００２３】
上記特別入賞口及び普通入賞口は、ステージ板を経由することで振り分けられる入賞球に対する個々の価値を決定するものであり、ステージ板の後縁部を通して落下する入賞球を受け入れ、例えば特別入賞口に受け入れられた場合は多数個の賞球の放出に繋げるように、また普通入賞口に受け入れられた場合には少数個の賞球の放出となるように設定することになる。
【００２４】
この特別入賞口と普通入賞口はステージ板の後縁部に臨ませて直接受け入れるようにしても、また距離を置いて間接的に受け入れるようにしてもよい。
間接的に受け入れる場合、上記ステージ板の後縁部に続けて第２のステージ板を設置して特別入賞口及び普通入賞口との間において再度入賞球に対する振り分けを実行することを可能にする。
【００２５】
この場合、上記第２ステージ板は入賞室の底部に設置して上方のステージ板と２段に形成し、上段から下段に入賞球が誘導されるようにするとよく、またこの場合、第２ステージ板を前下りの勾配を付して後縁部側から前縁部側に向けて入賞球が転がるようにし、更にこの前縁部に前記特別入賞口と普通入賞口を並列的に臨ませるようにするとよい。
【００２６】
上記の如く構成に係る本発明入賞装置によれば、入賞室の上部から飛入した入賞球は先ずステージ板上に落下し、水平な姿勢に静止するときには、この上面上に一時滞留し、また傾きがある場合はこの上面の傾きに従って後縁部方向に転がることになる。そして、落下位置、落下の角度に従って様々な方向に向って後縁部のいずれかの位置から更に下方へと転がり出ることになる。
この転がり方向を異にすることによってステージ板上で入賞球に対する振り分けが実行される一方、ステージ板上に形成される誘導凹部によって入賞球は転がりが妨げられ、或は誘導されて傾斜以外の要素により更に複雑な転がりを示すことになる。
また、上記ステージ板に後縁部を上下に揺動させる運動が付加されると、転がる入賞球に速度の変化が加わることになり、更なる変化が生ずることになる。
【００２７】
上記ステージ板に対し、その後縁部に臨む振り分け部材は、ステージ板単独で実行される振り分け動作に更に振り分けの複雑さを加えるものとなる。一旦ステージ板上で転がりを通して振り分けられた入賞球に対して、その後の転出方向を特定したり、或はこの特定を解いたりすることになる。
ステージ板上での振り分けののち、上記振り分け部材によってこの振り分け方向を特定し、一定方向に誘導されることはステージ板に続けて入賞球に対する価値を変化させる特定入賞口を設置する場合において更に効果を高めることになる。
つまり、振り分け部材によって振り分けの結果が特定し、特定入賞口と普通入賞口のいずれかに決定されるものとなると、遊技者はこの特定されることに感心を高めることになると同時に、それに至るステージ板上の転がり状態を注視することになり、転がりの結果を求めて遊技を楽しむことになるからである。
【００２８】
そして、本発明入賞装置は、前記ステージ板の上下の揺動運動と、前記振り分け部材の 
ステージ板後縁部に対する接離方向の移動運動とを連動させ、或はいずれか一方、又は双方を停止させることで入賞球に対する誘導を変化させられることから極めて複雑な変化を設定することが可能になる。
この入賞球に対する振り分けの変化は、特定入賞口に向けての打球の狙い打ちを完全に不可能にするもので、入賞装置に向けての打球の発射操作後は装置の動きに全てを委ねることになり、結果的に無用な射倖心を排除することができる。
【００２９】
前記ステージ板から振り分け部材を経てステージ板後縁部から転がり出た入賞球は、その後方に設置する特別入賞口若しくは普通入賞口に誘導されることになるが、この間に第２ステージ板が介挿される場合には更にこの第２ステージ板上で第３の振り分けが実行されることになる。
この第２ステージ板は、上方のステージ板によって入賞室の後方に送られた入賞球を次に前方に向けて下り勾配をなす上面を転がり落すことになり、この結果遊技者には入賞球の転がり状態を明確に見せることができる。そして、この第２ステージ板の前縁部に沿って前記特定入賞口及び普通入賞口を設置する場合には、これらの入賞口に飛入する瞬間を目視させることができ、遊技者に与えるインパクトは最大のものになる。
【発明の効果】
【００３０】
従って、以上説明の様に本発明によれば、入賞室に飛入した入賞球をステージ板に受け、この入賞球をときにはステージ板上面に止め、また傾きによって後縁部方向に転がり誘導する構造とすることから、遊技者にとって振り分けが行われる中で水平状態にあっては誘導凹部によって誘導されて上面上を転がり、また傾いたときには後縁部方向に入賞球が転がって遠ざかり、一瞬消える感覚を与えるものとなるため、従来味わうことのなかった振り分けの変化を実感することができることになる。またこの間ステージ板の傾きが加わることによって、上面に形成する誘導凹部の作用により、またステージ板の揺動運動に伴う傾斜の変化によって様々な振り分けが実行されるため遊技者にとって予期しない入賞球の変化を楽しむことができるものとなる。
【００３１】
また本発明は入賞球をステージ板の後方への誘導に併せて、振り分け部材による振り分けと、振り分け方向への確定が加えられることから、ときには不規則な振り分けが実行される一方、振り分け後の正確な誘導が実行されることになり、変化に富んだ振り分けが実現し、遊技者による打球の狙い打ちが殆んど不可能な入賞装置を提供することができることになる。
次に、本発明に係るパチンコ遊技機の入賞装置について実施の形態に基づき更に詳述し、その特徴とするところを明らかにする。
【発明を実施するための最良の形態】
【００３２】
図面は本発明の一実施例を示したものであり、図１は本発明に係る入賞装置を遊技盤に組付けた使用状態を説明する正面図である。図２は入賞装置の前面側からの斜視図、図３は背面側からの斜視図であり、図４は入賞装置を分解した状態の前面側から見た斜視図、図５は入賞装置を分解した状態の背面側から見た斜視図である。そして図６，図７は図４の一部を拡大して示した斜視図であり、図８，図９は図５の一部を拡大して示した斜視図である。
【００３３】
図面において、符号１はパチンコ遊技機に組付けられる遊技盤であり、２はこの遊技盤の前面に止着したバンドで、３はバンド２の囲みによって形成される遊技部４の中央部に設置した本発明に係る入賞装置である。そして、５‥‥はこの入賞装置３の下方に上下二段に配列した通常入賞口で、上段に５個の通常入賞口が、下段に３個の通常入賞口が配置してあり、前記入賞装置３のいずれの飛入口にも入賞することのなかった打球がこれらの通常入賞口５に向うようにしてある。
尚、遊技部４には図示しないが適所にバンド２によって形成される打球誘導路６を通して打ち出される打球を振り分ける障害釘が植設される。
【００３４】
入賞装置３は、逆Ｔ字形をなす取付板７を中心にしてこの取付板７の中央部に開設する開口部８に向けて背後から被う箱枠体９、上記開口部８の縁を飾るように取付板７の前面に止着する前飾り枠１０、取付板７の左右に延びる翼片部７ａ，７ａに各並列状に開設される４個の小飛入口１１‥‥、この小飛入口１１の前面に取付られるポケット形の受部１２、小飛入口１１の背後を囲む受枠１３の内部にあって飛入する入賞球によって転動する踏板１４等々を有し、更に前記箱枠体９の内部にあって上下に揺動するステージ板１５、このステージ板１５の下方に設けられる第２ステージ板１６、上記ステージ板１５の後方に設置される振り分け部材１７等が組付けられる。
【００３５】
箱枠体９は取付板７の開口部８の形状に合せて前面を開放した箱形に形成してあり、前面の開口部１８の上下左右の四隅に形成する透孔１９に通すビスを取付板７のネジ受部２０に受けることによって一体に止着できるようにしてある。
一方、前飾り枠１０は取付板７の透孔２１を通してこの前飾り枠１０の背面に設けるネジ受部２２にビスをねじ付けることで止着され、取付板７の前面から突き出た状態に取付くようにしてある。
【００３６】
この前飾り枠１０は頂部に飛入口２３を有し、この飛入口２３を取付板７の孔２４を通して箱枠体９の頂部に設ける球通路２５に連通させ、また、左右対称の位置に前記箱枠体９の中空の内部、つまり入賞室２６に打球を通す飛入口２７，２７を開設し、更に下方には特定入賞口２８を中央においてその左右に普通入賞口２９，２９をおき、これらの入賞口を横一列に配置している。
【００３７】
ステージ板１５は箱枠体９の入賞室２６の略中央部に水平な状態に収められる。このステージ板１５は前縁部１５ａの両端を支軸３０，３０を支点に上下方向に揺動自由に支持するもので、ここでは前縁部１５ａの両端に植立する上記支軸３０，３０を前記前飾り枠１０の高さの途中に形成する溝３１，３１に嵌め付けることによって支持するようにしてある。
上記支軸３０，３０は箱枠体９の左右の側壁部に枢着してステージ板１５を揺動自由に支持することもあるが、この実施例では実質的に箱枠体９の一部となる前飾り枠１０を支軸３０，３０の支持体として選択し、取付板７を間にして箱枠体９と前飾り枠１０の取付けを利用してこの支軸３０，３０を軸承する構造にしてある。
【００３８】
つまり、ここでは前述の様に前飾り枠１０に形成する溝３１，３１に後方から支軸３０，３０を挿入したのち、箱枠体９の前縁部から突き出すように設ける片３２，３２を差し入れ、溝３１，３１の前端部と片３２，３２の先端との間で支軸３０，３０を挟むことによって固定するようにしてあり、取付板７に対して箱枠体９及び前飾り枠１０を前述の様にビス止めすることで支軸３０，３０を安定的に固定する構造にしてある。
【００３９】
このステージ板１５は上面の前半部に左右対称の浅い誘導凹部３３ａ，３３ａを形成し、後半部に半円弧状をなす段差を設けた後縁部１５ｂに向って徐々に深くなる誘導凹部３３ｂを形成している。そして、この後縁部１５ｂに横に貫通する透孔３４を穿ってこの透孔３４に連結軸３５を挿通し、その両端を後縁部１５ｂの左右両端から突き出るようにしている。
この連結軸３５はステージ板１５を上下に揺動するための動力源となる駆動機構３６に連結するためのものであり、駆動機構３６に組込まれる減速装置付きモータ３７によって作動される。
【００４０】
駆動機構３６は、金属板を曲折し形成したフレーム３８を中心に組立てあり、図１２乃至図１４に示したようにフレーム３８の外側に固定したモータ３７の駆動軸３９に設けるギヤ４０を第２駆動軸４１のギヤ４２に噛合し、この第２駆動軸４１を回転するようにしてあり、この軸４１の両端に軸着するカム板４３，４３を回転するようにしてある。
【００４１】
カム板４３，４３はフレーム３８に軸承する回転軸４４の両端に固定する揺動板４５，４５の滑合台４６に滑合してこのカム板４３，４３の回転によって滑合台４６を上下動させ、前方に突き出す揺動腕４７を上下に揺動するようにしてある。
上記左右の揺動腕４７，４７は前端に長孔４８，４８を有し、この長孔に前記連結軸３５の軸端を滑合させて前記ステージ板１５と連結してあり、前記揺動板４５，４５の揺動運動をこの連結軸３５を介してステージ板１５に伝えられるようにしてある。
尚、モータ３７は減速装置を内蔵し、徐回転するようにして前記カム板４３をゆっくり回転させ、揺動板４５によるステージ板１５の揺動がゆっくり行われるようにしている。
【００４２】
上記駆動機構３６は、フレーム３８の前縁部に設ける取付片４９を箱枠体９の背面板９ａに添わせ、孔５０に通すビスをネジ受部５１にねじ付け、更に孔５２に通すビスを箱枠体９の背面から突出するネジ受ボス５３にねじ付けることによって一体に固定される。
【００４３】
図中、５４は上記モータ３７によって振り分け部材１７を駆動するため前記駆動機構３６内に設けた回転軸で、５５はこの回転軸５４に軸着し、前記ギヤ４０に噛合させたギヤであり、５６は振り分け部材１７を押上げるため回転軸５４に軸着したカム板である。
【００４４】
振り分け部材１７は、ここではペンギンの形に形成してあり２本の脚を下方に突き出し、この２本の脚の間にパチンコ球の径を超える間隔を設けて仕切り突起部１７ａ，１７ａとしている（図１５〜１７参照）。
この振り分け部材１７は背面部から突き出す止めボス５７を箱枠体９の背面板９ａに縦長に形成する案内孔５８に通し、この止めボス５７の後端部に滑合部材５９を固定することにより、上記背面板９ａに取付けられ、上記縦長の案内孔５８の長さの範囲において上下動が許されるようにしてある。
【００４５】
上記滑合部材５９は後方に向けて腕６０を水平に延ばし、前記回転軸５４に軸承したカム５６の上に滑合載置し、振り分け部材１７の重量を受けて常時接触させ、支える構造にしてある。
従って、前記モータ３７の駆動によって回転軸５４が回転し、カム板５６が回転すると、滑合部材５９が上下動して振り分け部材１７が上下動することになる。
【００４６】
尚、上記振り分け部材１７は図示するようにステージ板１５の後端部１５ｂの直上に位置して最下降位置（図１５，１６を参照）にあるとき、仕切り突起部１７ａ，１７ａを上記後端部１５ｂに最接近させ、この後端部１５ｂの横幅全体を３分割して入賞球の通過路を３つのルートに分けることになる。また最上昇位置（図１７を参照）に達したとき、上記突起部１７ａ，１７ａをステージ板１５の後端部１５ｂから離して上記３分割を解消することになる。
【００４７】
第２ステージ板１６は緩く湾曲した底部６１の両側部から側壁６２，６２を起立して舟形に形成した枠の内側に波形をなす振り分け台６３，６４を上下段差を付けて前後に配置し形成したもので、前記箱枠体９の下部の空間に前方から嵌め入れ、前記側壁６２，６２の後端を箱枠体９に設ける取付部６５，６５に当接し、この取付部に通すビスによって箱枠体に一体に組付けるようにしてある。
【００４８】
この第２ステージ板１６は、上記組付けによって前記ステージ板１５の下方に設置され、このステージ板１５の後端部１５ｂを通して落下する入賞球Ｐを後端部１６ｂに受けるようにしてある。この第２ステージ板１６に送られた入賞球は、後方の振り分け台６４に落下し、この振り分け台６４の山谷によって左右に振り分けられながら前向きの傾斜で更に前方の振り分け台６３に落下し、再び同様の振り分けが行なわれることになり、最終的にこの振り分け台６３のいずれかの谷部から前縁部１６ａを越えて転落することになる。
【００４９】
上記第２ステージ板１６の前側に位置する振り分け台６３は、２つの山と３つの谷を有し、この３つの谷を前記特定入賞口２８と普通入賞口２９，２９に臨むようにしてある。
即ち、箱枠体９は取付板７の背面側に固定したとき、取付板７の開口部８の下方に３個揃えて形成する穴６６の上方に３つの谷が臨むようにしてある。そして、この取付板７の前面側に固定される前記前飾り枠１０がこれに設ける特定入賞口２８と左右の普通入賞口２９，２９を上記穴６６に連通するようにしてあることから箱枠体９と前飾り枠１０を取付板７に取り付けると、自動的に振り分け台６３の３つの谷と特定入賞口２８と普通入賞口２９，２９とが向い合って連通するようになる。
【００５０】
従って、ステージ板１５から第２ステージ板１６に落下した入賞球Ｐは前後の振り分け台６４，６３を通して振り分けられると共に、下段の振り分け台６３のいずれかの谷部に入った入賞球Ｐはその前方に開口する入賞口２８又は２９に入賞することになる。
ところで、上記特定入賞口２８と普通入賞口２９に入賞した入賞球はそれぞれの開口部に設置するスイッチ６７，６８によって検出される一方、取付板７の下端に前記穴６６に連続させて設ける樋形の誘導路６９，７０に誘導され、普通入賞口２９に受けられ誘導路７０に通される入賞球はそのまゝ入賞装置外に放出され、特定入賞口２８に入賞した球は誘導路６９を通って前記箱枠体９の背後に備える後述する連動機構７１へと誘導され、取付板７の両翼片部７ａ，７ａに設ける小飛入口１１に設置するロック機構７２を作動することになる。
【００５１】
次に、以上の構成において、遊技盤１の遊技部４に設置された本発明入賞装置３に入賞球Ｐが飛入し、この入賞球Ｐが前記特定入賞口２８若しくは普通入賞口２９に達するまでの過程を各部の作動と共に説明すると、遊技部４に打出された球Ｐは、遊技盤１の前面に突き出す前飾り枠１０の飛入口２７に達することにより箱枠体９の内部、つまり入賞室２６に飛び込むことになる。
このとき、入賞球Ｐは飛入口２７に設置するスイッチ２７ａによって通過を検出され、図示しない主制御に検出信号が送られるとともに、図示しない賞球払出装置から遊技者に賞球が払い出される。
【００５２】
入賞室２６に飛入した球Ｐはステージ板１５の前縁部１５ａに近い上面に落下し、ステージ板１５が静止状態にあるときには、そのまゝ滞留するか、傾斜に従って転がることになる。
このとき、球Ｐは誘導凹部３３ａ，３３ａに誘導されて底に向かって転がり、更にステージ板１５が後傾姿勢に傾くときには、これに誘導されて誘導凹部３３ｂへと流されると共に、後縁部１５ｂへ向けて転がることになる。
【００５３】
このときの球Ｐの転がりは上記誘導凹部３３ａ，３３ｂの溝の深さに影響されて、底に向けて転がることになるが、ステージ板１５の傾き加減によって凹部の底に達する以前に後縁部１５ｂに向けて直線的に転がることがあり、様々な転がりを展開することになる。
この転がりの変化は球Ｐの振り分けを実行するもので、後縁部１５ｂの不特定の位置から落下し、次に備える前記第２ステージ１６へと誘導されることになる。
【００５４】
このステージ板１５は静止状態において球Ｐを転がす一方、駆動機構３６による揺動によって傾きを変化させることによって、上記球Ｐの転がり速度を変え、更にはこの揺動運動に振り分け部材１７の上下運動が加わることによって更に複雑な変化が付与されることになる。
【００５５】
図１５から図１７は、ステージ板１５とこれを揺動する駆動機構３６、及び振り分け部材１７との連動関係を説明し、入賞球Ｐの動きを解説したものである。
図１５（Ａ），（Ｂ）は駆動機構３６のカム板４３の突起部４３ａが下向きに位置して滑合台４６を押し下げ、軸４４を支点に揺動腕４７を跳ね上げ、これによってステージ板１５をやゝ前下り上記様態にした場合で、ステージ板１５上の球Ｐはやや前縁部１５ａ側に転がり誘導凹部３３ａ，３３ｂの底部に流れてここに止まることになる。
【００５６】
この状態において、振り分け部材１７はカム板５６の突起部が下向きにあるため、最下降位置にあって仕切り突起部１７ａ，１７ａをステージ板１５の後縁部１５ｂに接近させ、球Ｐの落下ルートを３つに分割することになる。
尚、ステージ板１５上の入賞球Ｐは凹部３３ａ，３３ｂの底に流れることによってこの状態では後縁部１５ｂに向けて流れることはない。
【００５７】
図１６（Ａ），（Ｂ）は駆動機構３６のモータ３７の駆動によってカム板４３が回転し、突起部４３ａが上向きになることによって揺動板４５の滑合台４６が上がり、これに伴ってステージ板１５が後傾姿勢を強めた場合である。
このときステージ板１５上に落下した入賞球Ｐは誘導凹部３３ａ，３３ｂを誘導されながら後縁部１５ｂに向けて転がり、第２ステージ１６へと落下することになる。
そして、このとき振り分け部材１７はカム板５６の突起部が下向きの状態にあることから下降姿勢にあって突起部１７ａ，１７ａをステージ板１５の後縁部１５ｂに臨ませ、３つのルートに仕切る状態を維持することになる。
【００５８】
次に、図１７（Ａ），（Ｂ）はカム板４３の突起部４３ａを上向きにして揺動板４５の滑合台４６を上げ、ステージ板１５を後傾斜の状態に保持したまゝカム板５６の突起部を上向きにして滑合部材５９の腕６０を押し上げ、振り分け部材１７を上昇させた場合を示す。
この振り分け部材１７の上昇によって突起部１７ａ，１７ａはステージ板の後縁部１５ｂから離れ、３つのルートの分割状態が解除され、入賞球Ｐはステージ板１５による振り分けに従って転落することになる。
【００５９】
ここで、揺動板４５に連結するステージ板１５と振り分け部材１７とは駆動機構３６に備えるカム板４３，５６を介して１つのモータ３７によって駆動される構造にしてあることから、連動する関係にあるが、各カム板４３，５６は間に介挿するギヤ４０，４２，５５の比率を変えることで異る回転にしてある。これによってステージ板１５の揺動と振り分け部材１７の上下動が同調しないようにして、振り分けの変化を更に複雑なものにしてある。
尚、ステージ板１５の揺動運動と振り分け部材１７の上下動を同期させることを妨げるものではなく、またこれらの動力源、つまりモータを別にして個別に作動させることを妨げるものでもない。
【００６０】
ステージ板１５の後縁部１５ｂを落下した球Ｐ（入賞球Ｐ）は第２ステージ板１６の後縁部１６ｂに受けられ、前述したように２段の振り分け台６４，６３を通して左右に移動振り分けられながら前縁部１６ａに沿って横に並ぶ特定入賞口２８，普通入賞口２９のいずれかに入賞し、ここでスイッチを通過して検出され、誘導路６９，７０のいずれかに送られることになる。
【００６１】
前記連動機構７１は、上記特定入賞口２８に入賞して誘導路６９に導かれる入賞球Ｐを受け入れ、この球の重量で前記小飛入口１１‥‥に組込むロック機構７２を作動する機構である。実質的にはこの連動機構７１は特定入賞口２８に入賞した入賞球Ｐに対して他の入賞口、ここでは小飛入口１１を閉じるゲートを解放し、入賞の機会を増やして賞球放出数を増加するための手段として組込まれている。
【００６２】
この連動機構７１について詳述すると、誘導路６９からの入賞球Ｐを受けてその重量によって下降する昇降台７３と、この昇降台７３の上下動をゲートのロック機構７２に伝える連動杆７４から構成される。
上記昇降台７３は、前記箱枠体９の背面板９ａの背面部に止着するカバー７５に収められ、このカバー７５の内部を上下動するようにしてある。
【００６３】
上記カバー７５は側面から見て略Ｌ字形に形成してあり、縦の部分７５ａを前記背面板９ａに添わせて孔７６に通すビス（図示せず）で固定し、下端の横の部分７５ｂを前記誘導路６９の後端に臨ませる（図２０を参照）。
一方、上記昇降台７３は上部縦長の部分７３ａを前記カバー７５の縦の部分７５ａに上下方向に摺動自由に嵌め入れ、下部の横の部分７３ｂを前記カバーの横の部分７５ｂに収めるようにしてある。そして、前記カバー７５を固定するビスを縦の部分７３ａに形成する縦長孔７７に通して昇降台７３がこの縦長孔７７の長さの範囲で上下動できるようにしてある。
【００６４】
昇降台７３は下部の横の部分７３ｂに前方に向けて開口する球受部７８を備え、昇降台７３が上昇位置、つまりカバーの固定用ビスが縦長孔７７の下端に当接するとき、前記誘導路６９の後端に臨んで連通し、この誘導路６９を通して送られる入賞球Ｐをこの球受部７８に受け入れられるようにしてある。
【００６５】
一方前記連動杆７４は、左右対称となるよう一対備えてある。この連動杆７４は長さの途中に軸着用の中空軸７９を前方に向けて突設し、取付板７の背面に設ける軸受部８０に支軸８１を介して回動自由となるよう軸着し、左右の両端を上下に揺動できるようにしてある。
そして、内側の端部に設ける軸部８２を前記昇降台７３の横長に形成する孔８３に滑合させて連結し、外側の端部にはバランスを取るための重錘ピン８４を孔８５に貫通させて取り付け、このピン８４を後述するロック機構７２の係止部材８６に臨ませるようにしてある。
【００６６】
上記バランスを取る上記重錘ピン８４は、前記昇降台７３に入賞球Ｐが無いとき、連動杆７４の外側の端部を下げ、前記球受部７８に入賞球Ｐが入ったとき上昇して前記係止部材８６を押上げるものとなっている。
つまり、この重錘ピン８４は昇降台７３に入る入賞球Ｐの有無に関係して連動杆７４を揺動するもので、昇降台７３が上昇位置にあって球受部７８に入賞球Ｐが入り、この球Ｐの重量を受けて下降に転じると、支軸８１を支点に揺動して重錘ピン８４側の端部を跳ね上げ、係止部材８６を押上げて、ゲートを解放するのである。
【００６７】
図２６乃至図３４は連動機構７１の連動杆７４の揺動に伴ってロック機構７２の小飛入口１１を開閉する踏板１４の作動を説明する解説図である。以下、これらの図面を中心に連動杆７４とロック機構７２との関係を説明する。
尚、本実施例では取付板７の左右の翼片部７ａ，７ａに２個づつの小飛入口１１を左右対称に開設し、それぞれの小飛入口１１に受部１２と踏板１４を備え、且つこの踏板１４の自由な動きを制御する前記係止部材８６をそれぞれ１個づつ備えるものとしている。
【００６８】
各小飛入口１１に備えられる踏板１４は、前後方向に長さを有する矩形の板を主体として形成してあり、その長さの略中央部に左右に貫通する軸受孔８７を穿ち、この軸受孔８７に通す支軸８９を受部１２の後縁から突き出す軸受部９０，９０に軸承させて回転自由に支持してある。
上記受部１２は、打球を受けるポケットの役割をもつもので、前面の板部１２ａの左右両側から後方に向けて側壁１２ｂを対向状に延設し、この側壁１２ｂに前記軸受部９０を備えている。この側壁１２ｂの後縁を取付板７の前面に当接し、ねじ止めすることで取付板７、更に正確には翼片部７ａの前面に取付き、小飛入口１１の前方を被うものとなる。
【００６９】
踏板１４は、この受部１２を取付板７に取付ける前に軸受部９０，９０に支軸８９を軸着して、小飛入口１１に持込み、受部１２の取付けを利用してこの小飛入口１１に取付けることになる。
上記受部１２は取付いた状態において、取付板７との間にパチンコ球Ｐを通す筒状の上下の空間を確保し、且つこの空間に向けて前記踏板１４の先端部分を受け入れることができるようにしてある。
【００７０】
そして、この踏板１４は、前記軸受孔８７の前方に重錘９１を埋設し、常には前方に転倒するようにバランスを取っており、後端部には踏板上面に受けられて後方に転がるパチンコ球を受ける突片９３を立ち上り状に備えている。
この踏板１４は、図３６に示したように支軸８９を支点に前端部を跳上げたとき小飛入口１１を閉ざす、受部１２を筒状に開放して上方からの打球をそのまゝ通過させることになる。
そして、図３７に示したように踏板１４が水平に転倒したとき、後端部の突片９３を受枠１３から突出するストッパー９４に当接して水平姿勢に保持し、この状態において小飛入口１１を開放すると同時に、踏板の先端部を受部１２の内部に突き入れて上方からの打球を受け取り、上面を通して受枠１３の内部に持ち込むことができるようにしてある。
【００７１】
前記踏板１４に埋設した重錘９１は、踏板１４が上記水平姿勢（図３７）にあるとき、また跳上がって起立姿勢（図３６）にあるとき、それぞれの姿勢に安定させるため作用することになり、水平姿勢にあるときには前記ストッパー９４と突片９３との衝合によって前倒れ状態とならないよう確実に支持されることになる。そして、前記起立姿勢に変換したときには前記係止部材８６が踏板１４に係合し、任意に水平姿勢に変換するのを阻止することになる。
【００７２】
図中９５は、踏板１４の軸受孔８７の位置より後方の一側縁に沿って起立したロック機構７２の一部を構成する係合片である。
この係合片９５は前縁９５ａを踏板の上面に対して直角に起立させ、この前縁９５ａの上端から後方に弧状縁９５ｂを形成して扇状をなしており、踏板１４が起立姿勢にあるとき、前記前縁９５ａにロック機構７２の同じく一部を構成する係止部材８６を掛け止め、水平姿勢への変換を阻止することになる。
【００７３】
上記係止部材８６は略Ｌ字形をなし、長さの中央の屈曲部に設ける軸受部９６に取付板７ａの背面に植設する支軸９７を通して回動自由に枢着し、一端には前記ピン８４に滑合する湾曲した滑合部９８を備え、他端には前記踏板１４の係合片９５に係合する係止片９９を備える。
この係止部材８６は支軸９７によって軸承されることで前記滑合部９８を連動杆７４の先端に設けるピン８４を跨ぐように臨ませ、他端の係止片９９を踏板１４の後部側面に臨ませて係合片９５に常に接触するようにしている。
【００７４】
つまり、係止部材８６は支点となる屈曲部を境にして長く延び出る滑合部９８が他方の係合片９５側より重量が大になるようにしてあり、支軸９７を中心にして滑合部９８側が常に下降するようにバランスを取ってある。これによって下向きに突き出す係止片９９が踏板１４の係合片９５に向けて突き出すように付勢されている。
【００７５】
尚、この実施例では隣接して設けられる２つの小飛入口１１にそれぞれ踏板１４を備えて左右に並べることから、この両踏板１４，１４の中間位置に連動杆７４のピン８４を臨ませ、このピン８４に向けて左右から係止部材８６の滑合部９８を架け渡すようにして左右の係止部材８６が左右対称に臨むようにしてある。
そして、この関係は左右の翼片部７ａ，７ａに形成する対をなす小飛入口１１，１１においても同一のものになっている。つまり、左右それぞれにおいて２つの係止部材８６，８６が１本のピン８４を挟んで左右から滑合部９８，９８を延ばし、滑合するようにしてあるのである。
【００７６】
本発明におけるロック機構７２は、上述の様に係止部材８６と踏板１４に形成する係合片９５によって構成されており、係合片９５と係止部材８６の係止片９９との係合関係によって踏板１４の回動が規制され、開閉動が制御されるようになっているのである。
次に、この関係を昇降台７３，連動杆７４を含む連動機構７１の動作を伴わせて更に詳述することにする。
【００７７】
前述したように入賞室２６を通して特定入賞口２８に転入した球Ｐは、誘導路６９を通り、後方に待機する昇降台７３の球受部７８に入ることになる（図２０を参照）。
昇降台７３は、左右に延びる連動杆７４の先端に備えるピン８４，８４とバランスして、自重のみの場合、つまり球Ｐを受け取らない状態では支軸８１，８１を支点とする連動杆７４の押し上げによって上昇位置にあり（図１８、図２１を参照）、球受部７８を前記誘導路６９に臨ませることになる。そして、この球受部７８に球Ｐが転入し受け入れると（図２０を参照）、前記ピン８４，８４を押上げながら下降し、最下降位置に達したとき、この球をカバー７５の下端を通して球受部７８の後部に開設する出口１００から系外に放出することになる（図２５を参照）。
尚、この球Ｐの放出に伴って重量を落すことになる結果、昇降台７３はピン８４，８４の重量を受けて再び上昇し、次の入賞球のため待機することになり、連動杆７４はピン８４，８４を下降位置に戻すことになる。
【００７８】
この昇降台７３の下降による連動杆７４の先端に設けられるピン８４の上昇は、このピン８４に滑合する係合部材８６，８６の滑合部９８を上昇させることになり、支軸９７を支点に係合部材８６，８６を傾けて他端の係止片９９，９９を踏板１４の係合片９５，９５から離すことになる（図３０、図３１を参照）。
これにより自由になった各踏板１４は、その重錘９１の重量を受けて支軸８９を支点に前方に向けて転倒し、後端の突片９３をストッパー９４に当接させると共に、前端部を受部１２の筒形の内部に突き出しながら小飛入口１１を開放することになる（図３７を参照）。
【００７９】
つまり、図３０〜図３３及び図３７は踏板１４が水平姿勢にある状態を示しており、このとき小飛入口１１は開放した状態にある。尚、図３１〜図３３は踏板が水平姿勢にあるときの連動機構７１の連動杆７４とロック機構７２の係止部材８６の関係を説明するものとなっている。
次に、この状態において受部１２に打球Ｐが飛入すると、球Ｐは踏板１４の前端部に受け止められ、この上面の傾斜に誘導されて小飛入口１１を通って踏板１４の後端部に移り、突片９３に止められると同時に、この球Ｐの移動によって踏板１４の重心が後方に移動することによって踏板１４は支軸８９を支点に後向きに転倒し、起立姿勢に変換することになる（図３６を参照）。
【００８０】
図２６〜図２９及び図３６はこの踏板１４の起立姿勢時を示している。踏板１４の前端部の跳ね上りによって受部１２は内部を上下に貫通させた状態になると同時に、小飛入口１１は閉ざされることになる。
従って、この状態において受部１２に飛入した打球は受部の中空部を通過し、そのまゝ遊技部４に戻り、その他の入賞口５に向けて落下することになる。
【００８１】
この踏板１４の起立姿勢への変換に当って係合片９５の外側面に接触していた係止部材８６の係止片９９は上記係合片９５が踏板１４の後端部の下降によって下に退くため自由になり、踏板１４側に支軸９７を支点に突き出すことになる。
前述したように連動杆７４のピン８４は昇降台７３から入賞球Ｐが放出されると、昇降台単独の重量より重くなるので下降位置に直ちに復帰することになる。その結果前記係止部材８６は滑合部９８を空中に突き出した状態になる。
このようなことから、係止片９９が支えを失うと、係止部材８６は支軸９７を支点に重量の重い滑合部９８を降下させることになり、係止片９９を踏板１４側に突き出すことになる。
【００８２】
上記係止片９９は先端部１０１を弧状の縁に形成してあり、踏板１４が跳上ると、この先端部１０１を係合片９５の前縁９５ａに滑らせて踏板１４側に突き出すことになる（図２７を参照）。そして、この先端部１０１の一端に突設する突起１０２を受枠１３の側面に衝合させることになり上記突き出し量を規制することになる。
【００８３】
踏板１４とこの踏板１４を制御する係止部材８６は対をなしており、隣接するものとは無関係に独立して作動する。従って、隣接して設けられる２つの小飛入口１１、１１における各踏板１４、１４は打球の飛入があった方の踏板１４だけが水平姿勢から起立姿勢に変換してその小飛入口１１を閉ざすことになる。
図３４，図３５はこの状態を示したものである。図の中で左方のものは打球が飛入して踏板１４が起立姿勢に変換し、右方のものは打球の飛入がないことによって水平姿勢を保持した状態を示している。
【００８４】
この状態において左方の踏板１４は後端部を下げることによって係合片９５が下り、その側面に当接していた係止片９９が支えを失うことから踏板１４側に滑合部９８の重量を受けて突き出すことになる。そして、これに伴い係合片９５の前縁９５ａに係止片９９の弧状の先端部１０１が滑合して重錘９１の重量を受けて水平姿勢に戻ろうとする踏板１４をロックすることになるのである。
【００８５】
踏板１４の後端部に突設した突片９３は、踏板１４が起立姿勢に変換するまで上面に受けた入賞球Ｐが落下しないように保持する役目をもっており、踏板１４が確実に起立し、同時に前記係止片９９が係合片９５をロックしたとき、球Ｐは突片９３の傾斜に従って受枠１３の後壁下端に設ける出口１０３（図３６参照）から放出されることになる。
【００８６】
一方、踏板１４を起立姿勢にロックした係止部材８６は、係止片９９が支えを失うことから重量の大な滑合部９８を支軸９７を支点に下げ、先に下降位置に待機する連動杆７４のピン８４の上に重なり、次の押し上げに備えることになる。
この様にして左方の小飛入口１１における踏板１４及び係止部材８６の動きに対して、未だ打球の飛入のない右方の小飛入口１１の踏板１４と係止部材８６は打球の飛入に備えて踏板１４を水平姿勢に保持したまゝにあり、次に受部１２に打球の飛入があったとき、前述した左方の踏板１４及び係止部材８６と同一の動きを通して踏板１４をロックし、係止部材８６の滑合部９８をピン８４の上に重ねることになる。
【００８７】
ところで、本実施例では左右の翼片部７ａ，７ａに各２個づつの受部１２並びに小飛入口１１を備え、これらの小飛入口１１に対して昇降台７３に連結した２本の連動杆７４，７４を伸してそれぞれのピン８４を前述するように小飛入口１１を開閉する踏板１４と係止部材８６に関係付ける構造としたことから、特定入賞口２８を通して昇降台７３に入賞球が受け入れられると、この昇降台の下降に伴って前記ピン８４，８４が上昇し、全ての係止部材８６の滑合部９８が押上げられることになる。このためそれぞれの係止片９９が係合片９５から離れる結果、踏板１４のロック状態が解除され、各踏板１４はその重錘９１による重心の偏在によって起立した状態から水平姿勢に変換し、全ての小飛入口１１を開放することになる。
そして、各小飛入口１１に打球が飛入することによって個別に小飛入口１１を閉塞すると共に、踏板１４を前述のように係止部材８６によってロックすることになる。
【００８８】
尚、図中の符号１０４は前記検出スイッチ６７，６８，２７ａの中継基板であり、１０５はこの中継基板１０４を固定するための取付枠である。そして、１０６及び１０７は各種の演出に合せて点滅させるＬＥＤを前面に多数備えたＬＥＤ基板である。
【００８９】
この様に入賞室２６に飛入した入賞球を受け取ることによって下降し、放出することによって上昇する昇降台７３と、この昇降台の上下動によって支軸８１を支点に揺動し、一端に備える重錘を兼ねたピン８４を上下動させる連動杆７４を備えた連動機構７１は、個々の小飛入口１１に備える踏板１４、つまり小飛入口の開閉手段を円滑に開閉操作できるものとなっており、またこの連動機構７１の揺動に伴うピン８４の上昇によってロック状態を解除する係止部材８６、そしてこの係止部材によってロック状態を解除される踏板１４を備えるロック機構７２は確実に踏板１４の開閉動を制御するものとなっている。しかも、ここにおいては全く動力を要することなくパチンコ球の重量のみによって作動することからモータ等の動力を準備することなく、また電気的制御も行われないことから不正行為が介入する危険もないことになる。
【００９０】
以上本発明を実施例に基づき詳述したが、本発明入賞装置によれば、入賞室２６に飛入した入賞球Ｐはステージ板１５上に落下することによってこの上面で後縁部１５ｂ方向に転がりながらときには不特定方向に、またときには誘導凹部に誘導されて特定方向に誘導される一方、該ステージ板１５の揺動による傾斜角度の変化によって様々な方向に転がりを変えることから極めて不規則な変化に富んだ入賞球の振り分けが実現することになる。
【００９１】
しかも、ステージ板１５は後方に向けて下り勾配となり、入賞球を後方に誘導することから遊技者にとって振り分けが進行する中で入賞球が逃げて行く印象を受けることになり、この結果一種の不安感を与えると同時に予測されない結果を生むことにもなるため大きな期待感を与えることができる利点がある。
【００９２】
勿論、本発明においては第２ステージ１６と組合うことで、入賞球は第２の振り分けを受けながら、前方に転り出て上段のステージ板１５による振り分け、そして振り分け部材１７による振り分けの結果を見ることができる一方、この結果を更にその前縁部に備える特定入賞口２８と普通入賞口２９への飛入によって確認することができるため遊技者による最終確認が明確に、且つ容易に行える利点がある。
【００９３】
そして、本発明入賞装置はステージ板１５の揺動と、振り分け部材１７による振り分けの組合せによってステージ板１５上を転がる入賞球Ｐは極めて複雑な変化を示すため、所謂遊技者の狙い打ち行為が極めて困難となりこの結果健全な遊技を楽しむことができる。
【図面の簡単な説明】
【００９４】
【図１】本発明に係る入賞装置の使用状態を説明する正面図。
【図２】正面側から見た入賞装置の斜視図。
【図３】背面側から見た入賞装置の斜視図。
【図４】正面側から見た入賞装置の分解斜視図。
【図５】背面側から見た入賞装置の分解斜視図。
【図６】図４の前半部分の斜視図。
【図７】図４の後半部分の斜視図。
【図８】図５の前半部分の斜視図。
【図９】図５の後半部分の斜視図。
【図１０】入賞装置の箱枠体とその内部に収められる振り分け部材、ステージ板、第２ステージ板の関係を示す正面図。
【図１１】図１０の斜視図。
【図１２】駆動機構の正面側から見た斜視図。
【図１３】駆動機構の背面側から見た斜視図。
【図１４】駆動機構の本体部分の斜視図。
【図１５】（Ａ）ステージ板が水平な状態にあり、振り分け部材が下降位置にあるときの入賞球の転がりを説明する斜視図。              （Ｂ）ステージ板が水平な状態にあり、振り分け部材が下降位置にあるときの入賞球の転がりを説明する右側面図。
【図１６】（Ａ）ステージ板が後傾した状態にあり、振り分け部材が下降位置にあるときの入賞球の転がりを説明する斜視図。              （Ｂ）ステージ板が後傾した状態にあり、振り分け部材が下降位置にあるときの入賞球の転がりを説明する右側面図。
【図１７】（Ａ）ステージ板が後傾した状態にあり、振り分け部材が上昇位置にあるときの入賞球の転がりを説明する斜視図。              （Ｂ）ステージ板が後傾した状態にあり、振り分け部材が上昇位置にあるときの入賞球の転がりを説明する右側面図。
【図１８】取付板に対する連動機構とロック機構の関係を示す背面図。
【図１９】図１８の斜視図。
【図２０】図１８の拡大中央縦断左側面図。
【図２１】昇降台が上昇位置にあり、連動杆の一端に備えるピンが下降位置にある状態を説明する背面図。
【図２２】図２１の斜視図。
【図２３】図２１の拡大中央縦断左側面図。
【図２４】昇降台が下降し、連動杆の一端に備えるピンが上昇してロック機構のロック状態を解除した状態を説明する背面図。
【図２５】図２４の拡大中央縦断左側面図。
【図２６】連動杆のピンが下降位置にあって起立姿勢にある踏板をロックした状態を説明する拡大正面図。
【図２７】図２６の斜視図。
【図２８】図２６の背面図。
【図２９】図２８の斜視図。
【図３０】連動杆のピンが上昇位置にあって踏板のロック状態を解除したことに伴って踏板が水平に転倒した状態を説明する正面図。
【図３１】図３０の斜視図。
【図３２】図３０の背面図。
【図３３】図３２の斜視図。
【図３４】連動杆のピンが下降位置にあって左方の踏板が起立してロックされた状態にあり、右方の踏板が水平姿勢にあってロック解除の状態にあることを説明する正面図。
【図３５】図３４の斜視図。
【図３６】踏板が起立姿勢にあって小飛入口を閉塞した状態を説明する縦断右側面図。
【図３７】踏板が水平姿勢にあって小飛入口が開放した状態を説明する縦断右側面図。
【符号の説明】
【００９５】
１                遊技盤
３                入賞装置
４                遊技部
７                取付板
７ａ              取付板の翼片部
８                開口部
９                箱枠体
１０              前飾り枠
１１              小飛入口
１２              受部
１３              受枠
１４              踏板
１５              ステージ板
１５ａ            ステージ板の前縁部
１５ｂ            ステージ板の後縁部
１６              第２ステージ板
１７              振り分け部材
１７ａ            仕切り突起部
２６              入賞室
２７              飛入口
２８              特定入賞口
２９              普通入賞口
３３ａ，３３ｂ    誘導凹部
３６              駆動機構
３７              モータ
【図１】
2007244445.tif 000003
【図２】
2007244445.tif 000004
【図３】
2007244445.tif 000005
【図４】
2007244445.tif 000006
【図５】
2007244445.tif 000007
【図６】
2007244445.tif 000008
【図７】
2007244445.tif 000009
【図８】
2007244445.tif 000010
【図９】
2007244445.tif 000011
【図１０】
2007244445.tif 000012
【図１１】
2007244445.tif 000013
【図１２】
2007244445.tif 000014
【図１３】
2007244445.tif 000015
【図１４】
2007244445.tif 000016
【図１５】
2007244445.tif 000017
【図１６】
2007244445.tif 000018
【図１７】
2007244445.tif 000019
【図１８】
2007244445.tif 000020
【図１９】
2007244445.tif 000021
【図２０】
2007244445.tif 000022
【図２１】
2007244445.tif 000023
【図２２】
2007244445.tif 000024
【図２３】
2007244445.tif 000025
【図２４】
2007244445.tif 000026
【図２５】
2007244445.tif 000027
【図２６】
2007244445.tif 000028
【図２７】
2007244445.tif 000029
【図２８】
2007244445.tif 000030
【図２９】
2007244445.tif 000031
【図３０】
2007244445.tif 000032
【図３１】
2007244445.tif 000033
【図３２】
2007244445.tif 000034
【図３３】
2007244445.tif 000035
【図３４】
2007244445.tif 000036
【図３５】
2007244445.tif 000037
【図３６】
2007244445.tif 000038
【図３７】
2007244445.tif 000039